(57)【要約】    【課題】      ユーザに対して、ユーザの活動状況に応じたＣＭなどの情報を提供すること。    【解決手段】  ユーザのスケジュールを個人データベースに格納しておき、ジャンルが付与されたコンテンツの受信した際に、個人データベースからユーザのスケジュールを抽出し、抽出したスケジュールに対応するジャンルが付与されたコンテンツを選択し、選択したコンテンツを出力するようにした。これにより、ユーザのスケジュールつまり活動状況に応じたコンテンツを選択でき、選択したコンテンツをユーザに行うことができる。  【選択図】      図１
2005309814.tif 000002
【特許請求の範囲】
【請求項１】
ユーザのスケジュールを格納する個人データベースと、ジャンルが付与されたコンテンツの受信を行う通信手段と、前記個人データベースから前記スケジュールを抽出する予定情報抽出手段と、抽出された前記スケジュールに対応する前記ジャンルが付与された前記コンテンツを選択するコンテンツ処理手段と、選択された前記コンテンツを出力する出力手段と、を具備したことを特徴とする情報選択装置。
【請求項２】
前記個人データベースは前記スケジュールに関連する人の情報を格納し、前記予定情報抽出手段が前記個人データベースから前記関連する人の情報を抽出し、前記コンテンツ処理手段が抽出された前記関連する人の情報に対応する前記ジャンルが付与された前記コンテンツを選択することを特徴とする請求項１記載の情報選択装置。
【請求項３】
前記個人データベースは前記ユーザのタスクに関する情報を格納し、前記予定情報抽出手段が前記個人データベースから前記タスクに関する情報を抽出し、前記コンテンツ処理手段が抽出された前記タスクに関する情報に対応する前記ジャンルが付与された前記コンテンツを選択することを特徴とする請求項１または請求項２記載の情報選択装置。
【請求項４】
前記コンテンツに付与されたジャンルと、前記ジャンルを上位概念語に持つ下位概念語との組を複数格納した辞書手段を具備し、
前記予定情報抽出手段は、前記スケジュールに対応する前記ジャンルが無い場合に前記辞書手段を参照し前記スケジュールを下位概念語に持つ前記ジャンルを抽出することを特徴とする請求項１から請求項３のいずれかに記載の情報選択装置。
【請求項５】
前記コンテンツに付与されたジャンルと、前記ジャンルを上位概念語に持つ下位概念語との組を複数格納した辞書手段を具備し、
前記予定情報抽出手段は、前記関連する人の情報に対応する前記ジャンルが無い場合に前記辞書手段を参照し前記関連する人の情報を下位概念に持つ前記ジャンルを抽出することを特徴とする請求項２記載の情報選択装置。
【発明の詳細な説明】
【技術分野】
【０００１】
本発明は、ユーザに選択的に情報を提供する情報選択装置に関する。
【背景技術】
【０００２】
従来より、ユーザ個人の嗜好に応じたＣＭを提示する技術がある（例えば、特許文献１参照）。従来の技術は、端末にユーザ個人の好みの情報を予め入力しておき、端末が放送コンテンツを受信した際に、予め蓄積してあるＣＭコンテンツから、入力しておいた個人の好みの情報をもとに、ＣＭを選択し、差し替えることで、ユーザの好みに合致したＣＭを提供するものである。
【特許文献１】特開２００１−１１１９２１号公報（テレビジョン信号蓄積再生装置及びテレビジョン信号蓄積再生システム）
【発明の開示】
【発明が解決しようとする課題】
【０００３】
しかし、従来技術では、ユーザ個人の好みに合わせた内容のＣＭを提供することはできるが、ユーザが現在おかれている状況（コンテキスト）に基づいて、ＣＭを提供することができない。
【０００４】
例えば、ユーザが近い時期にキャンプへ行く計画があるとする。ユーザが現在おかれているコンテキストとしては、キャンプへ行くための道具や食材が必要となる。ユーザの好みとしてキャンプ道具や食材を登録した場合、ユーザがキャンプへ行っている最中や、キャンプが終了してからも、ユーザに対してキャンプ道具や食材のＣＭが優先的に推薦されてしまう。
【０００５】
このように、ユーザの活動情報を多面的な視点で抽出し、今後必要となる情報を推定できないので、ユーザが現在置かれている状況に応じたＣＭが提供できないことになる。そこで、ユーザの活動状況を加味したＣＭの推薦方法が必要となる。
【０００６】
本発明は、係る点に鑑みてなされたもの、ユーザに対してユーザの活動状況に応じた情報を提供することを目的とする。
【課題を解決するための手段】
【０００７】
本発明は、ユーザのスケジュールを格納しておき、ジャンルが付与されたコンテンツの受信した際に、ユーザのスケジュールを抽出し、抽出したスケジュールに対応するジャンルが付与されたコンテンツを選択し、選択したコンテンツを出力するようにした。
【発明の効果】
【０００８】
本発明の情報選択装置によれば、ユーザのスケジュールつまり活動状況に応じた情報提供をユーザに行うことができる。
【発明を実施するための最良の形態】
【０００９】
本発明の第１の態様にかかる情報選択装置は、ユーザのスケジュールを格納する個人データベースと、ジャンルが付与されたコンテンツの受信を行う通信手段と、前記個人データベースから前記スケジュールを抽出する予定情報抽出手段と、抽出された前記スケジュールに対応する前記ジャンルが付与された前記コンテンツを選択するコンテンツ処理手段と、選択された前記コンテンツを出力する出力手段と、を具備した構成を採る。
【００１０】
これにより、ユーザのスケジュールつまり活動状況に応じた情報提供をユーザに行うことができる。
【００１１】
本発明の第２の態様は、第１の態様にかかる情報選択装置において、前記個人データベースは前記スケジュールに関連する人の情報を格納し、前記予定情報抽出手段が前記個人データベースから前記関連する人の情報を抽出し、前記コンテンツ処理手段が抽出された前記関連する人の情報に対応する前記ジャンルが付与された前記コンテンツを選択する。
【００１２】
これにより、ユーザのスケジュールに関連する人の嗜好などスケジュールに関連する人に関する情報に応じたコンテンツを選択し、提供できる。
【００１３】
本発明の第３の態様は、第１の態様または第２の態様にかかる情報選択装置において、前記個人データベースは前記ユーザのタスクに関する情報を格納し、前記予定情報抽出手段が前記個人データベースから前記タスクに関する情報を抽出し、前記コンテンツ処理手段が抽出された前記タスクに関する情報に対応する前記ジャンルが付与された前記コンテンツを選択する。
【００１４】
これにより、ユーザのスケジュールやスケジュールに関連する人の情報に、ユーザのタスクを加味した、複合的なコンテンツ選択ができ、より効果的にユーザの必要な情報を提供できる。
【００１５】
本発明の第４の態様は、第１の態様から第３の態様のいずれかにかかる情報選択装置において、前記コンテンツに付与されたジャンルと、前記ジャンルを上位概念語に持つ下位概念語との組を複数格納した辞書手段を具備し、前記予定情報抽出手段は、前記スケジュールに対応する前記ジャンルが無い場合に前記辞書手段を参照し前記スケジュールを下位概念語に持つ前記ジャンルを抽出する。
【００１６】
これにより、個人データベースに格納されたスケジュールと一致するジャンルが無い場合でも、スケジュールに対応するジャンルを抽出できる。これにより、ユーザが、多様な表現を用いてスケジュールを記述したとしても、それに対応したコンテンツを決定できる。
【００１７】
本発明の第５の態様は、第２の態様にかかる情報選択装置において、前記コンテンツに付与されたジャンルと、前記ジャンルを上位概念語に持つ下位概念語との組を複数格納した辞書手段を具備し、前記予定情報抽出手段は、前記関連する人の情報に対応する前記ジャンルが無い場合に前記辞書手段を参照し前記関連する人の情報を下位概念に持つ前記ジャンルを抽出する。
【００１８】
これにより、個人データベースに格納された関連する人に関する情報と一致するジャンルが無い場合でも関連する人に関する情報を抽出できる。これにより、ユーザが、多様な表現を用いて関連する人に関する情報を記述したとしても、それに対応したコンテンツを決定できる。
【００１９】
以下、本発明の実施の形態について、図面を参照しながら説明する。図１は、本実施の形態にかかる情報選択装置の構成図である。
【００２０】
本実施の形態にかかる情報選択装置１００は、携帯電話などの個人向けの端末を想定している。
【００２１】
情報選択装置１００には、ユーザが情報を入力するための手段として、キーボード、マウスなどの情報を入力する入力部１０１を設けられている。
【００２２】
また、情報選択装置１００には、情報提示手段として、モニターやプリンターなどの情報を出力する出力部１０２が設けられている。
【００２３】
また、情報選択装置１００には、通信手段として、ＡＤＳＬ、携帯電話、無線ＬＡＮ、衛星放送などの情報の送信や受信を行う通信部１０３が設けられている。通信部１０３は、ＣＭ（コマーシャル）等の放送コンテンツ１０８および個人情報を含むメイルメッセージ１０９などを受信する。
【００２４】
また、放送コンテンツ１０８は、番組情報１１５と、ＣＭ情報１１６と、番組情報１１５とＣＭ情報１１６のレイアウトやＣＭ情報１１６のジャンルなどの情報を含むコンテンツ記述１１４を含む。なお、コンテンツ記述１１４の詳細については、後述する。
【００２５】
また、情報選択装置１００には、入力部１０１入力もしくはメイルメッセージ１０９を用いて送信されてきたスケジュール１１０、ＴｏＤｏ１１１、住所録１１２などの個人情報を管理する個人データベース１０４が設けられている。スケジュール１１０は、ユーザの今後の予定であり、ＴｏＤｏ１１１は、ユーザに関する情報であり、住所録１１２は、他のユーザに関する他人の情報である。なお、スケジュール１１０、ＴｏＤｏ１１１、住所録１１２の詳細は、後述する。
【００２６】
また、情報選択装置１００には、個人データベース１０４から、スケジュール１１０、ＴｏＤｏ１１１、住所録１１２などの予定情報を抽出する予定情報抽出部１０５が設けられている。
【００２７】
また、情報選択装置１００には、番組情報１１５、ＣＭ情報１１６、およびコンテンツ記述１１４等の放送コンテンツ１０８を蓄積するコンテンツ蓄積部１０６が設けられている。また、情報選択装置１００には、予定情報抽出部１０５が抽出した予定情報とコンテンツ蓄積部１０６に蓄積されたコンテンツ記述１１４を用いてＣＭ情報１１６の選択処理を行うコンテンツ処理部１０７が設けられている。具体的には、コンテンツ処理部１０７は、予定情報を用いて選択したＣＭ情報１１６を、受信した番組情報１１５へ挿入もしくは差し替えを行う。
【００２８】
また、情報選択装置１００には、コンテンツ記述１１４のジャンルに用いられている単語と、この単語に対応する下位概念の単語との組を、複数格納した辞書部１１３が設けられている。なお、辞書部１１３の詳細については、後述する。
【００２９】
これらの構成により、情報選択装置１００は、個人データベース１０４に蓄積されたユーザの予定情報を用いて、ユーザの活動状況に応じた情報を提供することができる。
【００３０】
なお、予め個人のスケジュールや放送コンテンツ１０８等を保持するのではなく、放送網、通信網や蓄積媒体を介して、メイルやＷｅｂなどを介して個人情報や放送コンテンツを取得してもよい。
【００３１】
次に、個人データベース１０４の構成について図２を用いて説明する。図２は、本発明の個人データベース１０４が管理する情報について説明する図である。
【００３２】
個人データベース１０４には、利用者のスケジュールを管理するスケジュール１１０と、個人が実行しなければならないタスクを管理するＴｏＤｏ１１１と、利用者の住所録を管理する住所録１１２から構成される。
【００３３】
図２の例では、利用者のスケジュール１１０にはキャンプが登録されており、利用者が必要な情報のジャンルとして、キャンプと、その日時を抽出できる。また、スケジュール１１０には、キャンプに関連する人の情報が記述されており、関連する人としてＡさんとＢさんを抽出することができる。
【００３４】
ＴｏＤｏ１１１の情報としては、利用者のタスクとしてコンロ、食材の購入が入力されている。また、住所録１１２としては、スケジュール１１０に記述されたＡさんとＢさんの住所、電話、およびＡさんとＢさんの嗜好である好みの情報が入力されている。
【００３５】
このように、個人データベース１０４は、利用者の今後の予定（スケジュール、タスク）だけでなく、今後の予定において関連する他人（Ａさん、Ｂさん）の情報(住所、電話番号、嗜好)についても格納している。
【００３６】
次に、コンテンツ記述１１４について、図３を用いて説明する。
【００３７】
コンテンツ記述１１４には、放送コンテンツ１０８の番組情報１１５やＣＭ情報１１６をレイアウトするためのレイアウト（画面サイズや画面上での位置など）や放送コンテンツ１０８の所在を示すＵＲＬなどを記述されている。図３の例では、レイアウト情報３０１を、＜放送コンテンツ開始＞と＜放送コンテンツ終了＞のタグの間に記述する（「放送コンテンツ」と記された箇所）。
【００３８】
また、コンテンツ記述１１４には、ＣＭ情報３０２が記述されている。ＣＭ情報３０２は、＜ジャンル＞と記されたタグの間に記述されている。ＣＭ情報３０２には、利用者が必要となると想定されるＣＭ情報のジャンルが記述されている。図３の例では、ジャンルとして、＜金融＞、＜日用雑貨１＞、＜日用雑貨２＞、＜食料品１＞、＜食料品２＞が記述されている。
【００３９】
また、ジャンルは、階層化されて記述されている。図３の例では、＜日用雑貨１＞、＜日用雑貨２＞の下位（詳細な）ジャンルとして＜取り扱い品＞が記されている。
【００４０】
また、お店独自の情報として、特売品情報を記述しても良い。図３の例では、お店独自の情報として＜特売品名＞が記述されている。
【００４１】
また、これらのジャンルのタグに対応して、対応するお店のＣＭ情報として、お店の紹介が記述されている。
【００４２】
お店の紹介には、ＣＭコンテンツの所在を示すＵＲＬや、レイアウト（画面サイズや画面上での位置など）が記述されている。
【００４３】
次に、辞書部１１３の構成について、図４を用いて説明する。図４は、辞書部１１３の構成図である。
【００４４】
図４に示すように、辞書部１１３には、上位概念語４０１と、下位概念語４０２との組が複数格納されている。上位概念語４０１はコンテンツ記述１１４のジャンルに使用されている単語であり、下位概念語４０２は上位概念語４０２に対して利用者が使用するであろうと想定される下位概念語である。
【００４５】
なお、辞書部１１３は、上位概念語と下位概念語との組ではなく、利用者が使用するであろうと想定される単語とその類似語の組を格納しても良い。
【００４６】
次に、情報選択装置１００の情報選択処理について図５を用いて説明する。図５は、情報選択装置１００の情報選択処理のフローチャートである。
【００４７】
まず、情報選択装置１００は、通信部１０３において、番組情報１１５、ＣＭ情報１１６、およびコンテンツ記述１１４の放送コンテンツ１０８を受信し、コンテンツ蓄積部１０６に蓄積する（ステップ５００）。
【００４８】
次に、情報選択装置１００は、受信したＣＭ情報１１６の選択処理に移行する。まず、情報選択装置１００の予定情報抽出部１０５が、個人データベース１０４のＴｏＤｏ１１１の中身から端末利用者の必要な情報のジャンル、つまり端末利用者に関する情報を抽出する（ステップ５０１）。
【００４９】
図２を例にすると、予定情報抽出部１０５は、ＴｏＤｏ１１１を参照し、コンロおよび食材が利用者は今後購入の必要があるので、これらを端末利用者にとって必要な情報のジャンルとして抽出する。
【００５０】
次に、予定情報抽出部１０５は、個人データベース１０４のスケジュール１１０から端末利用者の予定および予定に関わる他人に関する情報を抽出する（ステップ５０２）。
【００５１】
図２の例では、予定情報抽出部１０５は、スケジュール１１０から今後の予定であるキャンプと、キャンプに参加する人物であるＡさんおよびＢさんを特定する。
【００５２】
さらに、予定情報抽出部１０５は、個人データベース１０４の住所録１１２から端末利用者や今後の予定において関わる人に関する嗜好を抽出する（ＳＴ５０３）。
【００５３】
例えば、図２の例では、予定情報抽出部１０５は、住所録１１２から、今度の予定であるキャンプに参加するＡさんの嗜好情報である「肉が好き」「にんじんが嫌い」と、Ｂさんの嗜好情報である「肉が好き」「卵が嫌い」という情報を抽出する。
【００５４】
このように、情報選択装置１００は、個人データベース１０４から、端末利用者に関する情報だけでなく、端末利用者が今後の予定において関わる他人に関する情報も抽出する。
【００５５】
次に、予定情報抽出部１０５、ステップ５００において受信したコンテンツ記述１１４のＣＭ情報３０２に、ステップ５０１〜５０３において抽出した情報に対応するジャンルが含まれているか判断する（ステップ５０４）。
【００５６】
ステップ５００において受信したコンテンツ記述に、ステップ５０１〜５０３において抽出した情報に対応するジャンルが含まれている場合には、予定情報抽出部１０５は、ステップ５０１〜５０３において抽出した情報をコンテンツ処理部１０７に送る。
【００５７】
一方、ステップ５００において受信したコンテンツ記述１１４に、ステップ５０１〜５０３において抽出した情報に対応するジャンルが含まれていない場合は、辞書部１１３を参照し、ステップ５０１〜５０３において抽出した情報の上位概念の言葉、つまりステップ５０１〜５０３において抽出した情報と同じ意味で、かつコンテンツ記述１１４で用いられているジャンルを抽出し、コンテンツ処理部１０７に送る（ステップ５０５）。
【００５８】
このように、個人データベース１０４に記述された情報と、コンテンツ記述１１４に用いられているジャンルが一致しない場合でも、辞書部１１３を用いることにより、個人データベース１０４に記述された情報に対応するジャンルを抽出できる。これにより、ユーザが、多様な表現を用いて個人データベース１０４を記述したとしても、それに対応したコンテンツ記述１１４のジャンルを決定できる。
【００５９】
例えば、ユーザが今後、購入すべき家電製品が、冷蔵庫であり、ユーザが冷蔵庫と入力してあって、コンテンツ記述１１４に付与されているキーワードが家電製品であったとしても、冷蔵庫の上位概念の家電製品に関する情報を必要な情報であるとして検出することができる。
【００６０】
次に、情報選択装置１００のコンテンツ処理部１０７は、コンテンツ蓄積部１０６に蓄積されたコンテンツ記述１１４から、予定情報抽出部１０５から送られてきた情報をジャンルとして持つＣＭ情報３０２を選択する（ステップ５０６）。例えば、図３のようなコンテンツ記述１１４の場合は、コンテンツ処理部１０７は、予定情報抽出部１０５から送られてきた情報に対応するジャンルのＣＭ情報３０２を選択する。
【００６１】
なお、上述した処理において、対応するジャンルのＣＭ情報３０２が複数抽出された場合、下位のＣＭ情報３０２を用いてＣＭ情報３０２を絞り込んだり、過去の利用者の利用実績を反映させてＣＭを選択しても良い。
【００６２】
次に、コンテンツ処理部１０７は、図６（ａ）に示すように、ステップ５０６において選択したＣＭ情報３０２と番組情報３０１を同一画面に合成して表示するために、選択したＣＭ情報３０２と番組情報３０１に関する実体である番組情報１１５とＣＭ情報１１６をコンテンツ蓄積部１０６から抽出し、抽出した番組情報１１５とＣＭ情報１１６を合成した情報を生成し、出力部１０２に出力し、出力部１０２がこれを表示する（ステップ５０７）。
【００６３】
これにより、コンテンツ処理部１０７は、ユーザの嗜好に関するＣＭだけでなく、ユーザの今後の予定に関するＣＭ、さらには今後の予定において関わる他人の嗜好に関するＣＭもユーザに提供することができる。例えば、キャンプが行われる前には、コンロを販売している商店の広告をユーザに事前提示を行い、食材情報に関しても、参加者の好みを反映した商品をキャンプ開催前にユーザに事前提示することができる。事前に通知するタイミングは、ユーザが予め設定できるようにしてもよい（例えば、１週間前など）。
【００６４】
なお、図６（ｂ）に示すように、放送番組中の特定のＣＭの映像シーンを、ステップ５０６において選択したジャンルに対応するＣＭの映像シーンに差し替える形態であっても良い。
【００６５】
以上説明したように、本実施の形態によれば、ユーザのスケジュールつまり活動状況に応じたＣＭなどの情報を選択し提供することができる。また、本実施の形態によれば、ユーザのスケジュールに関連する人の嗜好などスケジュールに関連する人に関する情報に応じたＣＭなどの情報を選択し、提供できる。さらに、本実施の形態によれば、ユーザのスケジュールやスケジュールに関連する人の情報に、ユーザ本人に関する情報であるＴｏＤｏを加味した、複合的なコンテンツ選択ができ、より効果的にユーザの必要な情報を提供できる。
【００６６】
また、本実施の形態を、携帯電話のようにユーザのスケジュール、ＴｏＤｏ、および住所録を具備した端末装置に適用することにより、新たな装置構成を追加することなく、本実施の形態を実施でき、有効である。
【００６７】
なお、本実施の形態では、ジャンルを用いて説明したが、コンテンツの内容を示すキーワードであっても良い。
【産業上の利用可能性】
【００６８】
本発明にかかる情報選択装置は、ユーザの活動状況に応じた情報を提供することができ、放送端末などの実現に有用である。また、本発明は、ＣＭ、音楽、地域情報などをいかなる情報の配信に対しても適用できる。
【図面の簡単な説明】
【００６９】
【図１】本発明の一実施の形態にかかる情報選択装置の構成図
【図２】本実施の形態の個人データベース部が管理する情報について説明する図
【図３】本実施の形態のコンテンツ記述を示す図
【図４】本実施の形態にかかる辞書部の構成を示す図
【図５】本実施の形態にかかる情報選択装置の情報選択処理フローチャート
【図６】ＣＭの挿入のためのコンテンツの記述方法について説明する図
【符号の説明】
【００７０】
１００  情報選択装置
１０４  個人データベース
１０５  予定情報抽出部
１０７  コンテンツ処理部
１０８  放送コンテンツ
１１０  スケジュール
１１１  ＴｏＤｏ
１１２  住所録
１１３  辞書部
１１４  コンテンツ記述
【図１】
2005309814.tif 000003
【図２】
2005309814.tif 000004
【図３】
2005309814.tif 000005
【図４】
2005309814.tif 000006
【図５】
2005309814.tif 000007
【図６】
2005309814.tif 000008